(57)【要約】【課題】搬器に搭載した電気機器の状態を適正に維持することができる、吊り下げ型乗物システムを提供する。【解決手段】吊り下げ型乗物システムは、複数の搬器３と、電気機器４と、監視制御ユニット６と、を備える。複数の搬器３は、軌道２に吊り下げられ、軌道２に沿って移動する。電気機器４は、複数の搬器３のそれぞれに設置されている。監視制御ユニット６は、複数の搬器３とは別の箇所に位置し、複数の搬器３のそれぞれとの間で通信可能である。監視制御ユニット６は、複数の搬器３のそれぞれの電気機器４の状態を表示する表示部と、複数の搬器３のそれぞれの電気機器４の状態を制御するための制御装置と、を有する。【選択図】図１
2020121621.tif 000002
【特許請求の範囲】
【請求項１】
軌道に吊り下げられ、前記軌道に沿って移動する複数の搬器と、
前記複数の搬器のそれぞれに設置される電気機器と、
前記複数の搬器とは別の箇所に位置し、前記複数の搬器のそれぞれとの間で通信可能な監視制御ユニットと、
を備え、
前記監視制御ユニットは、
前記複数の搬器のそれぞれの前記電気機器の状態を表示する表示部と、
前記複数の搬器のそれぞれの前記電気機器の状態を制御するための制御装置と、
を有する、
吊り下げ型乗物システム。
【請求項２】
前記電気機器は、前記搬器内の空調を行う空調装置と、前記空調装置に電力を供給する蓄電装置とを含む、
請求項１の吊り下げ型乗物システム。
【請求項３】
前記電気機器は、前記搬器の外側に向けて発光し、表示内容を切り替え可能な表示装置を含む、
請求項１または２の吊り下げ型乗物システム。
【請求項４】
前記複数の搬器のそれぞれは、ロープウェイのゴンドラである、
請求項１から３のいずれか一つの吊り下げ型乗物システム。
【請求項５】
前記複数の搬器のそれぞれには、無線通信機が設置され、
前記監視制御ユニットは、無線通信機を含み、
前記複数の搬器のそれぞれの前記無線通信機と、前記監視制御ユニットの前記無線通信機とは、メッシュネットワークを形成して無線通信を行うように構成されている、
請求項１から４のいずれか一つの吊り下げ型乗物システム。
【発明の詳細な説明】
【技術分野】
【０００１】
本開示は、吊り下げ型乗物システムに関する。
【背景技術】
【０００２】
従来、ゴンドラリフトやロープウェイ等の索道設備が知られている（例えば特許文献１参照）。
【０００３】
特許文献１に記載の索道設備では、搬器内に、空調装置と空調装置に電力を供給するバッテリとを備えている。この索道設備では、搬器が停留場内を移動するときに、電力の供給を受けてバッテリが充電される。
【先行技術文献】
【特許文献】
【０００４】
【特許文献１】特開２０１７−６５３６２号公報
【発明の概要】
【発明が解決しようとする課題】
【０００５】
ところで、特許文献１に記載の索道設備では、バッテリや空調装置等の電気機器の状態の管理が、運転室等から遠隔で行えるようになっていない。
【０００６】
そのため、搬器が強風等で緊急停止した場合等の、停止が長引いた場合に、バッテリの残量が切れて、空調装置の駆動が停止する等の不具合が生じるおそれがある。
【０００７】
上記事情に鑑みて、本開示は、搬器に搭載した電気機器の状態を適正に維持することができる、吊り下げ型乗物システムを提供することを、目的とする。
【課題を解決するための手段】
【０００８】
本開示に係る一態様の吊り下げ型乗物システムは、軌道に吊り下げられ、前記軌道に沿って移動する複数の搬器と、前記複数の搬器のそれぞれに設置された電気機器と、前記複数の搬器とは別の箇所に位置し、前記複数の搬器のそれぞれとの間で通信可能な監視制御ユニットと、を備える。前記監視制御ユニットは、前記複数の搬器のそれぞれの前記電気機器の状態を表示する表示部と、前記複数の搬器のそれぞれの前記電気機器の状態を制御するための制御装置と、を有する。
【発明の効果】
【０００９】
本開示は、搬器に搭載した電気機器の状態を適正に維持することができる、吊り下げ型乗物システムを提供することができる。
【図面の簡単な説明】
【００１０】
【図１】図１は、本開示に係る一実施形態の吊り下げ型乗物システムを概略的に示す図である。
【図２】図２は、同上の吊り下げ型乗物システムが備える搬器と監視制御ユニットを概略的に示すブロック図である。
【図３】図３Ａは、同上の搬器を示す背面図であり、図３Ｂは、同上の搬器を示す側面図である。
【発明を実施するための形態】
【００１１】
（１）概要
図１に示すように、一実施形態の吊り下げ型乗物システム（以下「乗物システム」という）は、複数の搬器３と、電気機器４と、監視制御ユニット６と、を備える。
【００１２】
複数の搬器３は、軌道２に吊り下げられ、軌道２に沿って移動する。電気機器４は、複数の搬器３のそれぞれに設置されている。監視制御ユニット６は、複数の搬器３とは別の箇所に位置し、複数の搬器３のそれぞれとの間で通信可能である。監視制御ユニット６は、図２に示すように、複数の搬器３のそれぞれの電気機器４の状態を表示する表示部６０と、複数の搬器３のそれぞれの電気機器４の状態を制御するための制御装置６１とを有する。
【００１３】
上記構成を備えることで、乗物システムでは、監視制御ユニット６の表示部６０に表示される電気機器４の状態を監視でき、電気機器４の状態を制御装置６１で制御することができて、電気機器４の状態を適正に維持することができる。
【００１４】
（２）詳細
続いて、本実施形態の乗物システムについて、更に詳しく説明する。
【００１５】
本実施形態の乗物システムは、ロープウェイ１の設備の一部を構成する。複数の搬器３のそれぞれは、ロープウェイ１のゴンドラである。ロープウェイ１としては、例えば、都市部の上空（主に、都市部の河川の上空）を運行するように設置されたものが挙げられる。
【００１６】
ロープウェイ１は、軌道２を構成する索条（支索）２０と、複数の搬器３を牽引する曵索（図示せず）と、索条２０を支持する支柱２１と、人や貨物が乗降する乗降場２２を備える。索条２０と支曵索のそれぞれは、その大半が、都市部の河川の上空に位置している。本実施形態では、ロープウェイ１は、二つの乗降場２２を有している。本実施形態では、二つの乗降場２２の両方に、複数の搬器３を運転操作するための運転室２３が設けられている。二つの運転室２３のそれぞれに、監視制御ユニット６が設置されている。
【００１７】
図２に示すように、複数の搬器３のそれぞれには、電気機器４と、無線通信機７が設置される。監視制御ユニット６は、表示部６０と、制御装置６１と、無線通信機８を含んでいる。
【００１８】
電気機器４は、空調装置４０、表示装置４１、放送装置４２、撮像装置４３、位置測定装置４４、制御装置４５、及び蓄電装置４６を含む。装置４０〜４５のそれぞれは、直接または間接的に蓄電装置４６に電気的に接続されており、蓄電装置４６から供給される電力によって駆動する。
【００１９】
制御装置４５は、装置４０〜４４のそれぞれを制御する装置である。制御装置４５は、マイクロコンピューターやパーソナルコンピューター等のコンピューターシステムを主構成とする。制御装置４５は、無線通信機７を介して監視制御ユニット６との間で無線通信を行う。制御装置４５は、監視制御ユニット６から受信した指示信号に応じて、装置４０〜４４のそれぞれを制御する。
【００２０】
空調装置４０は、搬器３内の空調を行う装置である。空調装置４０は、例えば、搬器３内に冷風を供給するクーラーである。なお、空調装置４０は、搬器３内に温風を供給する機能を更に備えたエアコンであってもよい。空調装置４０の電源のオン、オフの切り替え、温度調節等の制御は、制御装置４５によって行われる。
【００２１】
表示装置４１は、搬器３の外部に向けて発光し、表示内容を切り替え可能な装置である。表示装置４１は、例えば、シート状の照明装置４１０（図３Ａ，Ｂ参照）と、照明装置４１０の照明を操作するコントローラーと、コントローラーに操作内容を指示する指示装置を含む。
【００２２】
照明装置４１０は、例えば、導電性の透明フィルムの表面に、多数の発光素子を、電気的に接続されるようにマトリクス状に配置したものである。発光素子は、例えば、発光ダイオードである。
【００２３】
コントローラーは、例えば、ＤＭＸ（Ｄｉｇｉｔａｌ  ＭｕｌｔｉｐｌｅＸ）コントローラーである。コントローラーによって、多数の発光素子のそれぞれの発光の有無や色や明るさが制御され、これにより、照明装置４１０には、所定の文字や絵柄が表示される。
【００２４】
指示装置には、演出パターンが登録されている。演出パターンは、誕生日等の記念日を祝うメッセージを表示するパターンや、緊急停止していることを知らせるパターンや、指定された文字を表示するパターン等を含む。コントローラーは、指示部から指示された演出パターンで、照明装置４１０を発光させる。
【００２５】
指示装置には、制御装置４５が電気的に接続されている。指示装置からコントローラーに指示される操作内容（演出パターン）は、制御装置４５によって選択される。制御装置４５は、監視制御ユニット６から受信した指示信号に応じて、演出パターンを選択する。各搬器３の表示装置４１は、監視制御ユニット６から受信した指示信号に応じて、連動して演出パターンを表示することも可能である。
【００２６】
放送装置４２は、アンプとスピーカーを含む。放送装置４２は、制御装置４５によって制御されて、監視制御ユニット６から受信した指示信号に応じた内容を放送する。放送装置４２は、緊急停止していることを知らせる内容や、トランシーバー等の無線機の使用を促す内容や、ＢＧＭ等を放送する。
【００２７】
撮像装置４３は、カメラと記憶装置を含む。記憶装置は、例えば、ＤＶＲ（Ｄｉｇｉｔａｌ  Ｖｉｄｅｏ  Ｒｅｃｏｒｄｅｒ）である。カメラは、搬器３の内部の様子を撮像する。カメラで撮像された撮像データは、記憶装置に保存される。
【００２８】
位置測定装置４４は、ＧＰＳ（Ｇｌｏｂａｌ  Ｐｏｓｉｔｉｏｎｉｎｇ  Ｓｙｓｔｅｍ）を含む。位置測定装置４４による測定結果は、例えば、撮像装置４３の記憶装置の時刻補正に用いられる。
【００２９】
無線通信機７は、アンテナを含む。本実施形態では、複数の搬器３のそれぞれの無線通信機７と、監視制御ユニット６の無線通信機８とは、メッシュネットワークを形成して無線通信を行うように構成されている。
【００３０】
詳しくは、各搬器３の無線通信機７は、所定の距離範囲内に位置する他の少なくとも一つの搬器３の無線通信機７と無線通信を行う。複数の搬器３のうち、監視制御ユニット６の無線通信機８から所定の距離範囲内に位置する搬器３の無線通信機７は、監視制御ユニット６の無線通信機８と無線通信を直接的かつ間接的に行う。複数の搬器３のうち、監視制御ユニット６の無線通信機８から所定の距離範囲内に位置する搬器３の無線通信機７は、監視制御ユニット６の無線通信機８との間に位置する他の搬器３の無線通信機７を介して、監視制御ユニット６の無線通信機８と無線通信を間接的に行う。
【００３１】
このようにメッシュネットワークを形成して無線通信を行うことで、各搬器３の無線通信機７と監視制御ユニット６の無線通信機８との間での無線通信の遮断を防ぐことができる。複数の搬器３のそれぞれの無線通信機７と監視制御ユニット６の無線通信機８とは、例えば、２．４ＧＨｚ帯の周波数で、無線通信を行う。
【００３２】
蓄電装置４６は、リチウム電池等のバッテリである。なお、蓄電装置４６は、バッテリに限らず、キャパシタであってもよいし、バッテリとキャパシタの組み合わせであってもよい。蓄電装置４６は、例えば、ＤＣ２４Ｖを装置４０〜４５のそれぞれに供給する。
【００３３】
蓄電装置４６の電気残量、内部温度、電圧値等のデータは、ＢＭＵ（Ｂａｔｔｅｒｙ  Ｍａｎａｇｅｍｅｎｔ  Ｕｎｉｔ）等の監視通知装置によって監視され、制御装置４５に送信される。制御装置４５で受信した蓄電装置４６の各種のデータは、無線通信機７を介して、監視制御ユニット６に送信される。これにより、監視制御ユニット６では、蓄電装置４６の状態を、遠隔で監視可能である。
【００３４】
図３Ａ及び図３Ｂに示すように、搬器３は、進行方向Ｄ１における前側に位置する前壁３０と、後側に位置する後壁３１と、左右に位置する側壁３２，３３と、上壁３４と、底壁３５と、４つのフレーム３６とを有する。前壁３０、後壁３１、側壁３２，３３のそれぞれは、透光性を有し、ポリカーボネイト等のような強度の高い透明部材で形成されている。上壁３４、底壁３５及び４つのフレーム３６のそれぞれは、アルミニウム合金等のような強度の高い部材で形成されている。
【００３５】
前壁３０、後壁３１、側壁３２，３３のそれぞれは、上下方向の中央部が他の部分に比べて外側に膨らむように円弧状に湾曲した断面形状を有する。つまり、前壁３０では、上下方向の中央部が他の部分（上端部や下端部）に比べて前側に位置するように、側方から見て、全体が円弧状に湾曲している。
【００３６】
４つのフレーム３６のそれぞれは、上下方向の中央部が他の部分に比べて外側に位置するように円弧状に湾曲した柱状である。４つのフレーム３６のそれぞれは、上端部が上壁３４と連結され、下端部が底壁３５に連結されている。前壁３０、後壁３１、及び側壁３２，３３は、それぞれの幅方向の端部がフレーム３６に接続されて、互いに連結されている。
【００３７】
搬器３は、側壁３２に開閉可能に設けられたドア３７と、搬器３の内部に設けられた座席３８と、上壁３４から上方に延びたサスペンダー３９と、サスペンダー３９の上端部に設けられた握索装置３９０とを更に有する。サスペンダー３９の上端部には、スリップリング等の集電装置（図示せず）が設けられている。集電装置は、蓄電装置４６に電気的に接続されている。
【００３８】
表示装置４１が有するシート状の照明装置４１０は、前壁３０と後壁３１と側壁３３のそれぞれに取り付けられている。詳しくは、照明装置４１０は、壁３０，３１，３３のそれぞれの内面（搬器３の内部側を向く面）の下側の部分に、貼り付けられている。照明装置４１０は、座席３８に座った乗客の目の高さよりも低い位置に配置されている。そのため、座席３８に座る利用者が搬器３の外部を見るときに、照明装置４１０が邪魔になりにくい。
【００３９】
照明装置４１０は、円弧状に湾曲した壁３０，３１，３３のうち、上下方向の中央部よりも下側の部分に貼り付けることで、壁３０，３１，３３の内面に沿って円弧状に湾曲して、斜め下方に向かって発光することができる。これにより、照明装置４１０の表示内容は、下方（地上）から見えやすくなっている。
【００４０】
その他の装置４０，４２，４３，４４，４５、蓄電装置４６及び無線通信機７は、搬器３内の適宜の箇所に設置される。例えば、無線通信機７は、アンテナが搬器３の上側にて露出するように設置され、撮像装置４３は、カメラが搬器３の内部を上側から撮像するように設置される。
【００４１】
監視制御ユニット６の表示部６０は、各搬器３の電気機器４の状態を表示する装置である。表示部６０は、例えばモニターである。なお、表示部６０は、モニターに限らず、電気機器４の状態を表示可能なその他の装置であってもよい。各搬器３の無線通信機７から無線通信機８へ送信された電気機器４の状態のデータは、制御装置６１によって処理されて、表示部６０に表示される。
【００４２】
制御装置６１は、マイクロコンピューターやパーソナルコンピューター等のコンピューターシステムを主構成とする。制御装置６１では、各搬器３の電気機器４を制御するための操作が可能である。
【００４３】
本実施形態のロープウェイ１では、運転室２３には、複数の搬器３の運転を操作するための運転操作装置９と、放送装置１０と、信号灯１１が、更に設置されている。制御装置６１は、運転操作装置９、放送装置１０及び信号灯１１を制御する制御装置を兼ねている。
【００４４】
制御装置６１を操作することで、運転操作装置９を介して、各搬器３の運行と運行停止の切り替え、及び運行速度の変更等の制御を行うことができる。
【００４５】
放送装置１０は、スピーカーとアンプを含む。信号灯１１は、パトランプ等の警光灯である。放送装置１０は、制御装置６１によって放送内容が制御され、信号灯１１は、制御装置６１によって、点灯及び消灯が制御される。例えば、制御装置６１が運転操作装置９から不具合等を知らせる信号を受信したときや、制御装置６１が各搬器３から強風等による大きな揺れを知らせる信号を受信したときに、制御装置６１は、放送装置１０と信号灯１１を連動させて制御し、音と光で状態を報知する。
【００４６】
図１に示すように、ロープウェイ１は、各乗降場２２に位置して、蓄電装置４６を充電する給電レール２４を更に備える。給電レール２４は、搬器３の索条２０に沿って延びるように、各乗降場２２に設置されている。各搬器３は、サスペンダー３９の上端部の集電装置が給電レール２４に接触することで、蓄電装置４６への充電が行われる。蓄電装置４６への充電は、蓄電装置４６と装置４０〜４５のそれぞれを電気的に接続する回路を閉じた状態で行われる。各乗降場２２における蓄電装置４６の充電時間は、例えば１分間程度である。
【００４７】
給電レール２４から出力される電流の大きさは、制御装置６１によって制御可能である。制御装置６１では、給電レール２４から出力される電流値の調整や、出力の有無を切り替える制御を行うことができる。
【００４８】
制御装置６１では、給電レール２４から出力される電流の大きさを、例えば大小２つの電流値から選択することができ、急速充電モードと通常充電モードのうち一方を選択することができる。
【００４９】
給電レール２４は、例えば、蓄電装置４６から装置４０〜４５に供給される合計の負荷電流がaアンペアである場合、通常充電モードでは、（ｂ−ａ）アンペア（ただし、ｂ＞ａ）の電流を出力し、急速充電モードでは、（２ｂ−ａ）アンペアの電流を出力する。給電レール２４の供給電圧は、例えば、ＤＣ１１０Ｖである。
【００５０】
（３）監視制御ユニットによる監視及び制御の方法
続いて、上述した乗物システムの監視制御ユニット６による監視及び制御の方法について説明する。
【００５１】
乗物システムでは、各搬器３の電気機器４の状態のデータが、無線通信機７，８を介して、監視制御ユニット６の制御装置６１へと送られる。
【００５２】
例えば、各搬器３からは、空調装置４０の駆動状況、表示装置４１の表示内容、放送装置４２の放送内容、撮像装置４３の撮像内容、位置測定装置４４の位置測定情報、蓄電装置４６の電気残量、内部温度、電圧値等のデータが、監視制御ユニット６の制御装置６１に送られる。
【００５３】
監視制御ユニット６では、制御装置６１によって受信したデータが処理されて、表示部６０に、各搬器３の電気機器４の状態が表示される。これにより、運転室２３では、各搬器３の電気機器４の状態を常時監視することができる。
【００５４】
監視制御ユニット６では、制御装置６１を操作することによって、表示部６０に表示される各搬器３の電気機器４の状態に対応して、各搬器３の電気機器４の状態を制御することができる。
【００５５】
例えば、蓄電装置４６の電気残量が少ない場合には、空調装置４０の設定温度を変更して消費電力を抑える制御や、空調装置４０を停止する制御を行うことができる。これにより、蓄電装置４６の消費電力を抑えることができ、各搬器３の装置４０〜４５の継続的な駆動が可能となる。
【００５６】
また、蓄電装置４６の電気残量が少ない場合には、給電レール２４から出力される電流を大きくする制御を行って、乗降場２２にて蓄電装置４６を急速充電モードで充電することが可能である。
【００５７】
また、表示部６０では充電中も蓄電装置４６の電気残量を監視可能であるため、給電レール２４からの出力を停止する制御を行うことができ、蓄電装置４６が過充電されることを防ぐことができる。
【００５８】
また、蓄電装置４６の電気残量が多い場合には、給電レール２４から出力される電流を小さくする制御を行って、乗降場２２にて蓄電装置４６を通常充電モードで充電することが可能である。これにより、蓄電装置４６が過充電されることを防ぐことができる。
【００５９】
また、監視制御ユニット６では、複数の搬器３のそれぞれの表示装置４１の表示内容を連動させる制御を行うことが可能である。
【００６０】
例えば、監視制御ユニット６では、複数の搬器３の表示装置４１のそれぞれに文字を表示して、複数の表示装置４１で文章を形成するように、各表示装置４１の表示内容を制御することが可能である。なお、表示装置４１には、電子広告を表示してもよい。
【００６１】
（４）作用効果
以上説明した乗物システムでは、監視制御ユニット６にて、各搬器３に搭載された電気機器４の状態を監視して、電気機器４の状態を制御できるため、各搬器３の電気機器４の管理が行いやすい。
【００６２】
例えば、乗物システムでは、蓄電装置４６の電気残量を監視及び制御して、空調装置４０の駆動を継続的に行うことができるため、緊急停止時のような停止が長引く場合でも、搬器３内の温度を快適な温度に保ちやすい。
【００６３】
また、乗物システムでは、監視制御ユニット６にて、各搬器３の蓄電装置４６の電気残量を監視及び制御できるため、各乗降場２２において、各搬器３の蓄電装置４６の電気残量に応じた充電モードで、各搬器３の蓄電装置４６を効率よく充電することができる。
【００６４】
また、乗物システムでは、監視制御ユニット６にて、各搬器３の表示装置４１の表示内容を監視及び制御できるため、各搬器３の表示装置４１の表示内容を連動させて、多様な演出を行うことができる。特に、本実施形態の乗物システムの搬器３は、都市部の上空を運行するロープウェイ１のゴンドラであるため、都市部の上空に、多様な演出が行えて、効果的である。
【００６５】
また、乗物システムでは、各搬器３の無線通信機７と監視制御ユニット６の無線通信機８とが、メッシュネットワークを形成して無線通信を行うため、無線通信が遮断されにくく、各搬器３の電気機器４の状態を、監視制御ユニット６にてより確実に監視及び制御することができる。
【００６６】
（５）変形例
続いて、上述した一実施形態の乗物システムの変形例について説明する。
【００６７】
乗物システムは、ロープウェイ１に限らず、支曳索からなる軌道２に搬器３を吊り下げて牽引するゴンドラリフトを構成してもよいし、高架構造の軌道桁からなる軌道２に搬器３を吊り下げて牽引するスカイレールを構成してもよい。また、ロープウェイ１は、都市部の河川の上空に限らず、都市部の建物の上空を運行するものであってもよいし、山間部の上空を運行するものであってもよい。
【００６８】
各搬器３に設置される電気機器４は、上述した各装置４０〜４６の一部のみを含んでもよいし、上述した各装置４０〜４６に加えて他の電気で駆動する装置を更に含んでもよい。例えば、電気機器４は、安全装置としてＳＯＳボタンを含んでもよい。ＳＯＳボタンが押されると、対応する搬器３の無線通信機７から運転室２３の無線通信機８にＳＯＳ信号が送信され、運転手に知らせることができる。このとき、対応する搬器３には、予め登録された内容の案内放送を放送装置４２から自動的に再生することも可能である。
【００６９】
また、電気機器４は、搬器３に設置されるソーラーパネルを含んでもよい。この場合、蓄電装置４６の充電は、ソーラーパネルと給電レール２４の両方で行うことが可能となる。
【００７０】
また、電気機器４は、搬器３の内部の様子を撮像する撮像装置４３に限らず、搬器３の握索装置３９０とその周囲の部分の状態や振動を撮像する他の撮像装置を更に含んでもよい。
【００７１】
また、乗物システムは、支柱２１に設置されて、支柱２１が有する支持装置（滑車）の状態及び振動や索条２０を撮像する撮像装置と、この撮像装置によって撮像された撮像データを監視制御ユニット６の制御装置６１へ無線送信する無線通信機とを更に備えてもよい。この場合、支持装置による索条２０の支持位置の位置ずれや、支持装置の劣化具合や、索条２０の表面の状態等を、監視制御ユニット６の表示部６０にて監視することができる。無線通信機は、例えば、ＬＴＥ（Ｌｏｎｇ  Ｔｅｒｍ  Ｅｖｏｌｕｔｉｏｎ）を利用した無線通信を行う装置である。
【００７２】
また、乗物システムは、乗降場２２に設置されて、給電レール２４の状態を撮像する撮像装置と、この撮像装置によって撮像された撮像データを監視制御ユニット６の制御装置６１へ送信する無線通信機とを更に備えてもよい。また、乗物システムは、乗降場２２に設置されて、各搬器３を索条２０に支持される位置と索条２０から離れる待機位置との間で移動させるターンテーブル等の移動装置の状態を撮像する撮像装置と、この撮像装置によって撮像された撮像データを監視制御ユニット６の制御装置６１へ送信する無線通信機とを更に備えてもよい。無線通信機は、例えば、ＬＴＥ（Ｌｏｎｇ  Ｔｅｒｍ  Ｅｖｏｌｕｔｉｏｎ）を利用した無線通信を行う装置である。なお、撮像装置と、監視制御ユニット６の制御装置６１とは有線で接続されてもよい。この場合、給電レール２４と搬器３の集電装置の接触の様子や、給電レール２４の劣化具合等の状態や、移動装置の状態等を、監視制御ユニット６の表示部６０にて監視することができる。
【００７３】
また、電気機器４は、搬器３の振動を検出する振動センサー、蓄電装置４６からその他の機器へ流れる電流値を検出する電流センサー、搬器３内の温度と湿度を検出する温湿度センサー、給電レール２４に対する搬器３の集電装置のゆがみを検出するゆがみセンサー等の、各種のセンサーを含んでもよい。
【００７４】
監視制御ユニット６は、二つの乗降場２２の運転室２３のうちの一方にのみ設けられてもよい。また、監視制御ユニット６は、乗降場２２の運転室２３以外の、搬器３とは別の箇所に設置されてもよい。
【００７５】
運転室２３の運転操作装置９、放送装置１０及び信号灯１１の制御を行う制御装置は、監視制御ユニット６の制御装置６１とは別の制御装置で行ってもよい。
【００７６】
乗降場２２の数は、二つに限らず、一つであってもよいし、三つ以上であってもよい。
【００７７】
複数の搬器３のそれぞれの無線通信機７と、監視制御ユニット６の無線通信機８とは、無線通信可能なものであればよく、メッシュネットワークを形成せずに、無線通信を行うものであってもよい。つまり、各搬器３の無線通信機７は、他の搬器３の無線通信機７と無線通信を行わず、監視制御ユニット６の無線通信機８とのみ無線通信を行うものであってもよい。
【００７８】
また、複数の搬器３のそれぞれの無線通信機７と、監視制御ユニット６の無線通信機８とは、ビル間の通信に用いられる光無線通信や、インターネット回線を利用した無線通信や、ＬＴＥ（Ｌｏｎｇ  Ｔｅｒｍ  Ｅｖｏｌｕｔｉｏｎ）を利用した無線通信や、Ｗｉ-Ｆｉ（Ｗｉｒｅｌｅｓｓ  Ｆｉｄｅｌｉｔｙ、登録商標）を利用した無線通信等の、その他の方法を利用して、無線通信を行ってもよい。
【００７９】
また、複数の搬器３と監視制御ユニット６とは、通信可能であればよく、ケーブル等を介して有線で接続されてもよい。
【００８０】
各搬器３の無線通信機７と、監視制御ユニット６の無線通信機８との間で通信されるデータは、上述した各データのうちの一部であってもよいし、更に他のデータを含んでもよい。
【００８１】
各搬器３の位置測定装置４４は、各搬器３の位置情報を測定してもよく、各搬器３の無線通信機７と監視制御ユニット６の無線通信機８との間で通信されるデータは、各搬器３の位置情報を含んでもよい。この場合、監視制御ユニット６では、例えば、所定の範囲に位置する複数の搬器３の表示内容を、各搬器３の位置情報に対応させて連動させたり、ロープウェイの往路を運行する複数の搬器３の表示装置４１の表示内容と、ロープウェイの復路を運行する複数の搬器３の表示装置４１の表示内容とを、各搬器３の位置情報に対応させて連動させることも可能であり、多様な演出を行うことができる。
【００８２】
表示装置４１の照明装置４１０は、視界の妨げになりにくい透過度を有するものであれば、各搬器３の壁３０，３１，３３のそれぞれの下側の部分に限らず、各搬器３の壁３０，３１，３３のそれぞれの全体に取り付けられてもよい。なお、照明装置４１０は、各搬器３の壁３２にも取り付けられてもよい。また、照明装置４１０は、各搬器３の上壁３４の上面や、底壁３５の下面にも取り付けられてもよい。
【００８３】
また、表示装置４１は、搬器３の外部に向けて発光し、表示内容を切り替え可能な装置であればよく、上述した照明装置４１０に限らず、液晶や有機ＥＬ（ｅｌｅｃｔｒｏ−ｌｕｍｉｎｅｓｃｅｎｃｅ）などのモニターを含んでもよい。
【００８４】
監視制御ユニット６では、表示装置４１、放送装置４２、撮像装置４３、及び位置測定装置４４への蓄電装置４６からの電力供給を選択的に停止する制御を行うことで、蓄電装置４６の消費電力を抑えて、各搬器３の必要な電気機器４（例えば空調装置４０）の継続的な駆動を可能としてもよい。
【００８５】
（６）まとめ
以上説明した一実施形態の乗物システムのように、第一態様の乗物システムは、下記の構成を備える。
【００８６】
すなわち、第一態様の乗物システムは、複数の搬器３と電気機器４と監視制御ユニット６とを備える。複数の搬器３は、軌道２に吊り下げられ、軌道２に沿って移動する。電気機器４は、複数の搬器３のそれぞれに設置されている。監視制御ユニット６は、複数の搬器３とは別の箇所に位置し、複数の搬器３のそれぞれとの間で通信可能である。監視制御ユニット６は、複数の搬器３のそれぞれの電気機器４の状態を表示する表示部６０と、複数の搬器３のそれぞれの電気機器４の状態を制御するための制御装置６１と、を有する。
【００８７】
上記構成を備えることで、第一態様の乗物システムでは、監視制御ユニット６の表示部６０に表示される電気機器４の状態を監視でき、電気機器４の状態を制御装置６１で制御することができて、各搬器３の電気機器４の状態を適正に維持することができる。
【００８８】
また、上述した一実施形態の乗物システムのように、第二態様の乗物システムは、第一態様の乗物システムの構成に加えて、下記の構成を付加的に備える。
【００８９】
すなわち、第二態様の乗物システムでは、電気機器４は、搬器３内の空調を行う空調装置４０と、空調装置４０に電力を供給する蓄電装置４６とを含む。
【００９０】
上記構成を備えることで、第二態様の乗物システムでは、蓄電装置４６の電気残量を監視及び制御して、空調装置４０の駆動を継続的に行うことができ、緊急停止時等の乗車時間が長くなる場合でも、搬器３内の温度を快適な温度に維持しやすい。
【００９１】
また、上述した一実施形態の乗物システムのように、第三態様の乗物システムは、第一または第二態様の乗物システムの構成に加えて、下記の構成を付加的に備える。
【００９２】
すなわち、第三態様の乗物システムでは、電気機器４は、搬器３の外側に向けて発光し、表示内容を切り替え可能な表示装置４１を含む。
【００９３】
上記構成を備えることで、第三態様の乗物システムでは、監視制御ユニット６によって複数の搬器３の表示装置４１をそれぞれ監視及び制御することができ、複数の表示装置４１の表示内容を連動させやすい。
【００９４】
また、上述した一実施形態の乗物システムのように、第四態様の乗物システムは、第一から第三態様のいずれか一つの乗物システムの構成に加えて、下記の構成を付加的に備える。
【００９５】
すなわち、第四態様の乗物システムでは、複数の搬器３のそれぞれは、ロープウェイ１のゴンドラである。
【００９６】
上記構成を備えることで、第四態様の乗物システムでは、ロープウェイ１は強風等によって緊急停止して乗車時間が長くなる場合があるものの、ロープウェイ１のゴンドラに搭載された電気機器４の状態を監視及び制御でき、電気機器４の停止による不具合が生じにくい。
【００９７】
また、上述した一実施形態の乗物システムのように、第五態様の乗物システムは、第一から第四態様のいずれか一つの乗物システムの構成に加えて、下記の構成を付加的に備える。
【００９８】
すなわち、第五態様の乗物システムでは、複数の搬器３のそれぞれには、無線通信機７が設置され、監視制御ユニット６は、無線通信機８を含む。複数の搬器３のそれぞれの無線通信機７と、監視制御ユニット６の無線通信機８とは、メッシュネットワークを形成して無線通信を行うように構成されている。
【００９９】
上記構成を備えることで、第五態様の乗物システムでは、各搬器３の無線通信機７と監視制御ユニット６の無線通信機８の間での無線通信の遮断を抑制することができ、監視制御ユニット６による電気機器４の監視及び制御をより確実に行うことができる。
【０１００】
以上、本開示を添付図面に示す実施形態に基づいて説明したが、本開示は上記の実施形態に限定されるものではなく、本開示の意図する範囲内であれば、適宜の設計変更が可能である。
【符号の説明】
【０１０１】
１      ロープウェイ
２      軌道
３      搬器
４      電気機器
４０    空調装置
４１    表示装置
４６    蓄電装置
６      監視制御ユニット
６０    表示部
６１    制御装置
７      無線通信機
８      無線通信機
【図１】
2020121621.tif 000003
【図２】
2020121621.tif 000004
【図３】
2020121621.tif 000005